(57)【要約】【課題】  マルチキャリア信号が歪を有するような場合であっても、複数のアンテナのうち通信品質の良いアンテナを選択することができる無線受信装置を提供する。【解決手段】  無線受信装置１００は、マルチキャリア変調方式によって変調されたマルチキャリア信号を復調する無線受信装置であって、マルチキャリア信号を受信する複数のアンテナ部１１〜１３と、複数のアンテナ部のそれぞれが受信したマルチキャリア信号のうちから複数のアンテナ部のそれぞれについて少なくとも１つずつサブキャリア信号を選択する複数のキャリア選択部３１〜３３と、複数のキャリア選択部が選択したサブキャリア信号の信号強度に基づいて複数のアンテナ部から受信用のアンテナ部を選択するアンテナ選択部４０と、アンテナ選択部により選択されたアンテナ部が受信したマルチキャリア信号を復調する復調部５０とを備えている。【選択図】  図１
2005065254.tif 000002
【特許請求の範囲】
【請求項１】
マルチキャリア変調方式によって変調されたマルチキャリア信号を受信し、これを復調する無線受信装置であって、
マルチキャリア信号を受信する複数のアンテナ部と、
前記複数のアンテナ部のそれぞれが受信したマルチキャリア信号のうちから前記複数のアンテナ部のそれぞれについて少なくとも１つずつサブキャリア信号を選択する複数のキャリア選択部と、
前記複数のキャリア選択部が選択したサブキャリア信号の信号強度に基づいて前記複数のアンテナ部から受信用のアンテナ部を選択するアンテナ選択部と、
前記アンテナ選択部により選択されたアンテナ部が受信したマルチキャリア信号を復調する復調部とを備えた無線受信装置。
【請求項２】
前記アンテナ選択部は、
前記複数のキャリア選択部のそれぞれにおいて選択されたサブキャリア信号の信号強度の平均を算出する演算部と、
前記複数のアンテナ部のうち、前記信号強度の平均が最大であるアンテナ部を選択する最大強度選択部とを具備したことを特徴とする請求項１に記載の無線受信装置。
【請求項３】
前記複数のキャリア選択部のそれぞれは前記マルチキャリア信号の中から少なくとも１つのパイロットキャリア信号を選択し、
前記アンテナ選択部は、前記複数のキャリア選択部によって選択されたパイロットキャリア信号の信号強度に基づいて、前記複数のアンテナ部から受信用のアンテナ部を選択することを特徴とする請求項１または請求項２に記載の無線受信装置。
【請求項４】
前記複数のキャリア選択部のそれぞれは、前記マルチキャリア信号の中から信号強度が所定の閾値を超えるパイロットキャリア信号を選択することを特徴とする請求項３に記載の無線受信装置。
【請求項５】
前記複数のキャリア選択部のそれぞれは、前記マルチキャリア信号の中から全てのパイロットキャリア信号を選択することを特徴とする請求項３に記載の無線受信装置。
【請求項６】
前記複数のキャリア選択部のそれぞれは、前記マルチキャリア信号の中から信号強度の最も小さなパイロットキャリア信号を選択することを特徴とする請求項３に記載の無線受信装置。
【請求項７】
前記複数のキャリア選択部のそれぞれは、前記マルチキャリア信号の中から信号強度が最小であるパイロットキャリア信号以外のパイロットキャリア信号を選択することを特徴とする請求項３に記載の無線受信装置。
【請求項８】
前記複数のキャリア選択部のそれぞれは、前記マルチキャリア信号の中の複数のパイロットキャリア信号のうち信号強度が２番目に小さいパイロットキャリア信号を選択することを特徴とする請求項３に記載の無線受信装置。
【請求項９】
前記マルチキャリア信号の受信強度を測定する受信強度測定部をさらに備え、
前記アンテナ選択部は、前記複数のキャリア選択部が選択したパイロットキャリア信号の信号強度および前記マルチキャリア信号の受信強度に基づいて、前記複数のアンテナ部から受信用のアンテナ部を選択することを特徴とする請求項３に記載の無線受信装置。
【請求項１０】
前記複数のキャリア選択部のそれぞれは、前記マルチキャリア信号の中心周波数から所定の周波数だけ増減させた範囲の周波数帯に含まれるサブキャリア信号を選択し、
前記アンテナ選択部は、前記周波数帯に含まれるサブキャリア信号の信号強度の平均を算出して、この信号強度の平均に基づいて複数の前記アンテナから受信用のアンテナ部を選択することを特徴とする請求項１に記載の無線受信装置。
【請求項１１】
前記複数のキャリア選択部のそれぞれは、前記マルチキャリア信号の中のパイロットキャリア信号のうち、最大周波数を有するパイロットキャリア信号と最小周波数を有するパイロットキャリア信号との間の周波数帯に含まれるサブキャリア信号を選択し、
前記アンテナ選択部は、前記周波数帯に含まれるサブキャリア信号の信号強度の平均を算出して、この信号強度の平均に基づいて複数の前記アンテナから受信用のアンテナ部を選択することを特徴とする請求項１に記載の無線受信装置。
【請求項１２】
前記復調部は、
前記アンテナ選択部が選択したアンテナ部によって受信されたマルチキャリア信号のうち複数のパイロットキャリア信号の信号強度を測定する信号強度測定部と、
前記複数のパイロットキャリア信号のうち信号強度が所定の閾値を超えるパイロットキャリア信号を選択する閾値判定部と、
前記閾値判定部により選択されたパイロットキャリア信号の歪量を測定する歪量算出部と、
前記閾値判定部により選択されたパイロットキャリア信号の信号強度および歪量に基づいて歪補正値を算出する演算部と、
前記アンテナ選択部により選択されたアンテナ部が受信したマルチキャリア信号を前記歪補正値に基づいて補正する歪補正部とを備えたことを特徴とする請求項１から請求項１１のいずれかに記載の無線受信装置。
【請求項１３】
前記復調部は、
前記アンテナ選択部が選択したアンテナ部によって受信されたマルチキャリア信号のうち複数のパイロットキャリア信号の信号強度を測定する信号強度測定部と、
前記複数のパイロットキャリア信号の歪量を測定する歪量算出部と、
前記複数のパイロットキャリア信号の信号強度を用いて複数の前記パイロットキャリア信号のそれぞれの歪量に対して重み付けをすることによって歪補正値を算出する演算部と、
前記アンテナ選択部により選択されたアンテナ部が受信したマルチキャリア信号を前記歪補正値に基づいて補正する歪補正部とを備えたことを特徴とする請求項１から請求項１１のいずれかに記載の無線受信装置。
【請求項１４】
前記復調部は、
前記アンテナ選択部が選択したアンテナ部によって受信されたマルチキャリア信号のうち複数のパイロットキャリア信号の信号強度を測定する信号強度測定部と、
前記複数のパイロットキャリア信号の歪量を測定する歪量算出部と、
複数の前記パイロットキャリア信号のそれぞれの歪量および信号強度をベクトルで表し、複数の前記パイロットキャリア信号のそれぞれに対応する複数のベクトルを合成して歪補正値を算出する演算部と、
前記アンテナ選択部により選択されたアンテナ部が受信したマルチキャリア信号を前記歪補正値に基づいて補正する歪補正部とを備えたことを特徴とする請求項１から請求項１１のいずれかに記載の無線受信装置。
【請求項１５】
前記歪量算出部は、前記パイロットキャリア信号の歪量として、該パイロットキャリア信号の送信時の位相と受信時の位相との位相差を測定することを特徴とする請求項１２から請求項１４のいずれかに記載の無線受信装置。
【請求項１６】
複数のアンテナ部を備えた無線受信装置を用いて、マルチキャリア変調方式によって変調されたマルチキャリア信号を復調する無線受信方法であって、
前記複数のアンテナ部を介してマルチキャリア信号を受信するステップと、
前記複数のアンテナ部のそれぞれが受信したマルチキャリア信号のうちから前記複数のアンテナ部のそれぞれについて少なくとも１つずつサブキャリア信号を周波数に基づいて選択する信号選択ステップと、
前記信号選択ステップにおいて選択されたサブキャリア信号の信号強度に基づいて前記複数のアンテナ部から受信用のアンテナ部を選択するアンテナ選択ステップと、
前記アンテナ選択ステップにより選択されたアンテナ部が受信したマルチキャリア信号を復調する復調ステップとを具備する無線受信方法。
【請求項１７】
前記復調ステップにおいて、
前記アンテナ選択ステップにおいて選択されたアンテナ部が受信したマルチキャリア信号のうちパイロットキャリア信号の信号強度を測定し、
前記パイロットキャリア信号の歪量を測定し、
前記複数のパイロットキャリア信号の信号強度および歪量に基づいて歪補正値を算出し、
前記アンテナ選択ステップにおいて選択されたアンテナ部が受信したマルチキャリア信号を、前記歪補正値に基づいて補正することを特徴とする請求項１６に記載の無線受信方法。
【請求項１８】
マルチキャリア変調方式によって変調されたマルチキャリア信号を受信し、これを復調する無線受信装置であって、
マルチキャリア信号を受信する複数のアンテナ部と、
前記複数のアンテナ部のそれぞれに対応して設けられ、対応するアンテナ部で受信されたマルチキャリア信号中のパイロットキャリア信号の周波数に近接する周波数をもつサブキャリア信号を少なくとも一つ選択する複数のキャリア選択部と、
前記複数のキャリア選択部が選択したサブキャリア信号の信号強度に基づいて、前記複数のアンテナ部の中から受信用のアンテナ部を選択するアンテナ選択部と、
前記アンテナ選択部により選択されたアンテナ部が受信したマルチキャリア信号を復調する復調部と、を備えた無線受信装置。
【請求項１９】
前記複数のキャリア選択部のそれぞれは、前記パイロットキャリア信号の周波数に近接した複数のサブキャリア信号の中から、信号レベルが最小のサブキャリア信号を選択し、
前記アンテナ選択部は、前記複数のキャリア選択部がそれぞれ選択したサブキャリア信号の中から、信号レベルが最大のサブキャリア信号をもつアンテナ部を選択することを特徴とする請求項１８に記載の無線受信装置。
【請求項２０】
マルチキャリア変調方式によって変調されたマルチキャリア信号を受信し、これを復調する無線受信装置であって、
マルチキャリア信号を受信する複数のアンテナ部と、
前記複数のアンテナ部で受信されたマルチキャリア信号の中から選択されたマルチキャリア信号中のパイロットキャリア信号の周波数に近接する周波数をもつサブキャリア信号を少なくとも一つ選択するキャリア選択部と、
前記キャリア選択部で選択されたサブキャリア信号の信号強度に基づいて、前記複数のアンテナ部の中から受信用のアンテナ部を選択するアンテナ選択部と、
前記アンテナ選択部により選択されたアンテナ部が受信したマルチキャリア信号を復調する復調部と、を備えた無線受信装置。
【請求項２１】
前記アンテナ選択部は、
前記キャリア選択部で選択されたサブキャリア信号を記憶する信号記憶部と、
前記信号記憶部に記憶されたサブキャリア信号のうち、信号強度が最大のサブキャリア信号をもつアンテナ部を選択する信号比較部と、を有することを特徴とする請求項２０に記載の無線受信装置。
【請求項２２】
前記アンテナ選択部で選択されたマルチキャリア信号に対して離散フーリエ変換を行う信号変換部を備え、
前記キャリア選択部は、前記信号変換部で離散フーリエ変換される前のマルチキャリア信号に対して離散フーリエ変換を行うFFT部を有し、前記FFT部で離散フーリエ変換されたマルチキャリア信号に基づいてサブキャリア信号の選択を行うことを特徴とする請求項２０または２１に記載の無線受信装置。
【請求項２３】
マルチキャリア信号は、プリアンブル部とデータ部とを有するパケットのデータ形式で送信され、
前記キャリア選択部は、前記プリアンブル部に含まれるマルチキャリア信号に基づいて、サブキャリア信号の選択を行うことを特徴とする請求項２０乃至２２のいずれかに記載の無線受信装置。
【請求項２４】
前記キャリア選択部は、
前記アンテナ選択部で選択されたマルチキャリア信号に含まれるサブキャリア信号のそれぞれについて、パイロットキャリア信号の周波数に近接する周波数との相関を演算する相関演算部と、
前記相関演算部の演算結果に基づいて、サブキャリア信号同士の受信強度を比較する受信強度比較部と、を有することを特徴とする請求項２０乃至２３のいずれかに記載の無線受信装置。
【請求項２５】
前記キャリア選択部は、マルチキャリア信号の中に含まれるサブキャリア信号のうち、信号強度が所定の閾値以下のサブキャリア信号を除いた残りのサブキャリア信号の中から、サブキャリア信号を選択することを特徴とする請求項１８乃至２４のいずれかに記載の無線受信装置。
【請求項２６】
前記アンテナ選択部は、複数のアンテナ部それぞれのうち、信号強度が閾値を超えたサブキャリア信号の本数が最大のアンテナ部を受信用のアンテナ部として選択することを特徴とする請求項２５に記載の無線受信装置。
【請求項２７】
前記キャリア選択部は、
パイロットキャリア信号の周波数から所定帯域内に位置するサブキャリア信号を含む第１サブキャリア群と、前記所定帯域外のサブキャリア信号を含む第２サブキャリア群とに分類するサブキャリア分類部と、
前記第１サブキャリア群に属する少なくとも一つのサブキャリア信号と、前記第２サブキャリア群に属する少なくとも一つのサブキャリア信号とを選択する群選択部と、を有し、
前記アンテナ選択部は、前記群選択部で選択されたサブキャリア信号の信号強度に基づいて、受信用のアンテナ部を選択することを特徴とする請求項１８乃至２６のいずれかに記載の無線受信装置。
【請求項２８】
前記アンテナ選択部は、前記群選択部で選択された前記第１サブキャリア群に属するサブキャリア信号の信号強度と、前記群選択部で選択された前記第２サブキャリア群に属するサブキャリア信号の信号強度とに対して、それぞれ異なる重み付けを行った値に基づいて、受信用のアンテナ部を選択することを特徴とする請求項２７に記載の無線受信装置。
【請求項２９】
前記キャリア選択部は、パイロットキャリア信号の周波数との周波数差に応じて、前記サブキャリア信号の信号強度を重み付けし、
前記アンテナ選択部は、重み付けされたサブキャリア信号信号強度に基づいて、受信用のアンテナ部を選択することを特徴とする請求項１８乃至２７のいずれかに記載の無線受信装置。
【請求項３０】
前記アンテナ選択部での選択処理が終了した後に、前記アンテナ選択部で選択されたアンテナ部にて受信されたマルチキャリア信号の復調を開始する復調部を備えることを特徴とする請求項１８乃至２９のいずれかに記載の無線受信装置。
【発明の詳細な説明】
【技術分野】
【０００１】
本発明は無線受信装置に関し、特にマルチキャリア信号に対する無線受信装置に関する。
【背景技術】
【０００２】
無線通信においてフェーシングによる通信品質の劣化に対処するための方法として、従来からダイバーシチ受信が用いられている。従来のダイバーシチ受信装置は、複数のアンテナを介してマルチキャリア信号を複数の受信手段により受信する。ダイバーシチ受信装置は、これら複数の受信手段によって受信されたマルチキャリア信号のそれぞれについて受信電力を求め、その受信電力に基づいて１つのアンテナを選択する。さらに、ダイバーシチ受信装置は、この選択されたアンテナによって受信されたマルチキャリア信号を復調する。
【特許文献１】特開２０００−１７４７２６号公報
【特許文献２】特開２００１−２６８０５０号公報
【特許文献３】特開２００２−２６１７２７号公報
【発明の開示】
【発明が解決しようとする課題】
【０００３】
従来のダイバーシチ受信装置は、マルチキャリア信号全体の信号強度に基づいてアンテナを選択していた。しかし、マルチキャリア信号全体の受信電力に基づいてアンテナを選択すると、マルチキャリア信号の一部のサブキャリア信号が大きな歪を有するような場合に、ダイバーシチ受信装置は、通信品質の良いアンテナを選択できない。
【０００４】
そこで、本発明の目的は、マルチキャリア信号が歪を有するような場合であっても、複数のアンテナのうち通信品質の良いアンテナを選択することができる無線受信装置を提供することである。
【課題を解決するための手段】
【０００５】
本発明の一態様による無線受信装置は、マルチキャリア変調方式によって変調されたマルチキャリア信号を受信し、これを復調する無線受信装置であって、マルチキャリア信号を受信する複数のアンテナ部と、前記複数のアンテナ部のそれぞれが受信したマルチキャリア信号のうちから前記複数のアンテナ部のそれぞれについて少なくとも１つずつサブキャリア信号を選択する複数のキャリア選択部と、前記複数のキャリア選択部が選択したサブキャリア信号の信号強度に基づいて前記複数のアンテナ部から受信用のアンテナ部を選択するアンテナ選択部と、前記アンテナ選択部により選択されたアンテナ部が受信したマルチキャリア信号を復調する復調部とを備えている。
【０００６】
本発明の一態様による無線受信方法は、複数のアンテナ部を備えた無線受信装置を用いて、マルチキャリア変調方式によって変調されたマルチキャリア信号を復調する無線受信方法であって、前記複数のアンテナ部を介してマルチキャリア信号を受信するステップと、前記複数のアンテナ部のそれぞれが受信したマルチキャリア信号のうちから前記複数のアンテナ部のそれぞれについて少なくとも１つずつサブキャリア信号を周波数に基づいて選択する信号選択ステップと、前記信号選択ステップにおいて選択されたサブキャリア信号の信号強度に基づいて前記複数のアンテナ部から受信用のアンテナ部を選択するアンテナ選択ステップと、前記アンテナ選択ステップにより選択されたアンテナ部が受信したマルチキャリア信号を復調する復調ステップとを備えている。
【０００７】
本発明の一態様による、マルチキャリア変調方式によって変調されたマルチキャリア信号を受信し、これを復調する無線受信装置は、マルチキャリア信号を受信する複数のアンテナ部と、前記複数のアンテナ部のそれぞれに対応して設けられ、対応するアンテナ部で受信されたマルチキャリア信号中のパイロットキャリア信号の周波数に近接する周波数をもつサブキャリア信号を少なくとも一つ選択する複数のキャリア選択部と、前記複数のキャリア選択部が選択したサブキャリア信号の信号強度に基づいて、前記複数のアンテナ部の中から受信用のアンテナ部を選択するアンテナ選択部と、前記アンテナ選択部により選択されたアンテナ部が受信したマルチキャリア信号を復調する復調部と、を備える。
【０００８】
本発明の一態様による、マルチキャリア変調方式によって変調されたマルチキャリア信号を受信し、これを復調する無線受信装置であって、マルチキャリア信号を受信する複数のアンテナ部と、前記複数のアンテナ部で受信されたマルチキャリア信号の中から選択されたマルチキャリア信号中のパイロットキャリア信号の周波数に近接する周波数をもつサブキャリア信号を少なくとも一つ選択するキャリア選択部と、前記キャリア選択部で選択されたサブキャリア信号の信号強度に基づいて、前記複数のアンテナ部の中から受信用のアンテナ部を選択するアンテナ選択部と、前記アンテナ選択部により選択されたアンテナ部が受信したマルチキャリア信号を復調する復調部と、を備える。
【発明の効果】
【０００９】
本発明によれば、マルチキャリア信号が歪を有するような場合であっても、複数のアンテナ部の中から通信品質の良いアンテナを確実に選択できる。
【発明を実施するための最良の形態】
【００１０】
以下、図面を参照し、本発明による実施の形態を説明する。これらの実施の形態は本発明を限定するものではない。
【００１１】
本発明に係る実施形態に従ったダイバーシチ無線受信装置は、複数のアンテナから受信したマルチキャリア信号からサブキャリア信号を選択する。無線受信装置は、このサブキャリア信号の信号強度に基づいてアンテナを選択し、このアンテナを介して受信を行う。これにより、無線受信装置は、通信品質の良いアンテナを選択することができる。このダイバーシチ無線受信装置は、無線ＬＡＮなどのＯＦＤＭ（Orthogonal Frequency Division Multiplexing）変調方式における選択ダイバーシチ受信装置として用いることができる。
【００１２】
（第１の実施形態）
図１は、本発明に係る第１の実施形態に従ったダイバーシチ無線受信装置（以下、受信装置という）１００のブロック図である。受信装置１００は、アンテナ部１１〜１３、信号変換部２１〜２３、キャリア選択部３１〜３３、アンテナ選択部４０および復調部５０を備えている。アンテナ部１１〜１３のそれぞれは、受信装置１００の通信相手がマルチキャリア変調方式によって変調したマルチキャリア信号を受信する。本実施形態は、アンテナ部を３つ備えているが、２つまたは４つ以上のアンテナ部を備えていてもよい。
【００１３】
信号変換部２１〜２３のそれぞれは、マルチキャリア信号を増幅するＬＮＡ（Low Noise Amplifier）と、マルチキャリア信号の周波数をベースバンドに周波数変換するＤ／Ｃ（Down Converter）部と、アナログ信号をデジタル信号に変換するＡ／Ｄ変換部と、マルチキャリア信号のそれぞれに対して離散フーリエ変換を行うＦＦＴ（Fast Fourier Transfer）部とを含む。信号変換部２１〜２３を通過したマルチキャリア信号は、互いに周波数帯の異なる複数のサブキャリア信号から構成される。
【００１４】
キャリア選択部３１〜３３は、それぞれ信号変換部２１〜２３に接続され、信号変換部２１〜２３を通過したマルチキャリア信号の中から特定のサブキャリア信号を周波数に基づいて選択するように構成されている。
【００１５】
信号変換部２１〜２３およびキャリア選択部３１〜３３は、アンテナ部１１から１３と同数だけ備えられている。本実施形態では、信号変換部２１〜２３およびキャリア選択部３１〜３３は、それぞれ３つずつ設けられている。
【００１６】
アンテナ選択部４０は、各キャリア選択部３１〜３３に接続されており、キャリア選択部３１〜３３のそれぞれによって選択されたサブキャリア信号を得る。アンテナ選択部４０は、これらのサブキャリア信号の信号強度に基づいて、受信用のアンテナ部を選択するように構成されている。
【００１７】
復調部５０は、アンテナ選択部４０によって選択されたアンテナ部を介して受信されたマルチキャリア信号を復調する。
【００１８】
図２は、本実施形態におけるキャリア選択部３１〜３３およびアンテナ選択部４０の動作を具体的に示した概略図である。図２を参照して、キャリア選択部３１〜３３およびアンテナ選択部４０をさらに詳細に説明する。
【００１９】
図２におけるキャリア選択部３１内に示すグラフは、アンテナ１１を介して受信したマルチキャリア信号の周波数および信号強度を示すグラフである。マルチキャリア信号は、互いに周波数帯の異なる複数のサブキャリア信号から構成されている。サブキャリア信号は、このグラフ中において破線で示されている。キャリア選択部３１は、これらのサブキャリア信号の中から、所定の周波数ｆ１およびｆ２に該当するサブキャリア信号ＳＣ１およびＳＣ２を選択する。また、キャリア選択部３２および３３は、それぞれアンテナ１２および１３を介して受信したマルチキャリア信号を構成するサブキャリア信号の中から、周波数ｆ１およびｆ２に該当するサブキャリア信号を選択する。キャリア選択部３１〜３３において選択されたサブキャリア信号は、アンテナ選択部４０へ送信される。
【００２０】
アンテナ選択部４０は、演算部４２および信号強度比較部４４を有する。演算部４２は、キャリア選択部３１によって選択されたサブキャリア信号ＳＣ１およびＳＣ２の平均信号強度ＡＶ１、キャリア選択部３２によって選択されたサブキャリア信号の平均信号強度ＡＶ２およびキャリア選択部３３によって選択されたサブキャリア信号の平均信号強度ＡＶ３をそれぞれ演算する。
【００２１】
信号強度比較部４４は、平均信号強度ＡＶ１、ＡＶ２およびＡＶ３を比較し、平均信号強度が最大であるアンテナ部をアンテナ部１１〜１３の中から選択する。
【００２２】
本実施形態では、キャリア選択部３１〜３３は、２つのサブキャリア信号を選択しているが、1つまたは３つ以上のサブキャリア信号を選択してもよい。
【００２３】
図３は、通信装置１００の動作を示すフロー図である。まず、アンテナ部１１〜１３が、マルチキャリア変調方式によって変調されたマルチキャリア信号を受信する（Ｓ１０）。次に、信号変換部２１〜２３のそれぞれが、アンテナ部１１〜１３からのマルチキャリア信号を変換する。これにより、マルチキャリア信号は、互いに周波数帯の異なる複数のサブキャリア信号により構成された信号へ変換される（Ｓ２０）。
【００２４】
キャリア選択部３１〜３３は、マルチキャリア信号の中から特定のサブキャリア信号を周波数に基づいて選択する（Ｓ３０）。
【００２５】
アンテナ選択部４０は、キャリア選択部３１〜３３によって選択されたサブキャリア信号の信号強度に基づいて、マルチキャリア信号を受信するために用いるアンテナ部を選択する（Ｓ４０）。
【００２６】
復調部５０は、アンテナ選択部４０によって選択されたアンテナ部によって受信されたマルチキャリア信号を復調する（Ｓ５０）。
【００２７】
本実施形態によれば、所定の周波数帯にある特定のサブキャリア信号の信号強度に基づいてアンテナ部を選択することができる。これにより、通信装置１００は、例えば、復調に大きな影響を与えるサブキャリア信号を選択し、これらのサブキャリア信号の平均信号強度が最大であるアンテナを用いて通信することができる。
【００２８】
一般に、マルチキャリア信号中に大きな歪を有する場合には、マルチキャリア信号全体の受信電力の大きなアンテナが、通信品質の良いアンテナであるとは限らない。本実施形態によれば、マルチキャリア信号のうち、復調に大きな影響を与えるサブキャリア信号の平均信号強度を算出することができるので、通信装置１００はアンテナ部１１〜１３の中から通信品質の良いアンテナ部を確実に選択することができる。
【００２９】
（第２の実施形態）
図１および図２を参照して、第２の実施形態による通信装置１０１を説明する。第１の実施形態において、演算部４２は選択されたサブキャリア信号の平均信号強度ＡＶ１、ＡＶ２およびＡＶ３を演算し、信号強度比較部４４で比較することによって通信用のアンテナを選択した。しかし、本実施形態によれば、演算部４２は、キャリア選択部３１〜３３のそれぞれについて信号強度の最も大きなサブキャリア信号ＭＸ１〜ＭＸ３（図示せず）を選択する。さらに、信号強度比較部４４は、サブキャリア信号ＭＸ１〜ＭＸ３を比較し、その中から信号強度の最も大きなサブキャリア信号を選択する。アンテナ選択部４０は、信号強度の最も大きなサブキャリア信号を受信したアンテナ部を選択する。このような点で本実施形態は第１の実施の形態と異なる。
【００３０】
本実施形態は、マルチキャリア信号のうち、歪を有する周波数帯のサブキャリア信号を除いたサブキャリア信号から最大信号強度を有するサブキャリア信号を選択することができる。これにより、通信装置１０１は通信品質の良いアンテナを確実に選択することができる。
【００３１】
（第３の実施形態）
図４は、本発明に係る第３の実施形態に従った通信装置１０２のキャリア選択部３１〜３３を示す概略図である。本実施形態おけるキャリア選択部３１は、アンテナ部１１によって受信された各マルチキャリア信号からパイロットキャリア信号ＰＣ１およびＰＣ２を選択する。キャリア選択部３２および３３は、それぞれアンテナ部１２よおび１３によって受信されたマルチキャリア信号からパイロットキャリア信号を選択する。通信装置１０２のその他の構成および動作は、第１または第２の実施形態の記載において、サブキャリア信号をパイロットキャリア信号と置き換えたものと同様である。
【００３２】
一般に、パイロットキャリア信号は歪を補正するために基準となるサブキャリア信号である。パイロットキャリア信号の信号強度が小さいと、マルチキャリア信号全体を正確に補正することができない。
【００３３】
よって、本実施形態のように、アンテナ部１１〜１３のうち、パイロットキャリア信号の最大信号強度または平均信号強度が最も大きなアンテナ部を選択することによって、通信装置１０２は、そのアンテナ部を介して受信したマルチキャリア信号全体を正確に補正することができる。その結果、通信装置１０２は、高品質の通信を行うことができる。さらに、本実施形態は第１および第２の実施形態と同様の効果を有する。
【００３４】
本実施形態では、パイロットキャリアが２つの場合であるが、１つまたは３つ以上の場合でもよい。
【００３５】
（第４の実施形態）
図５（Ａ）は、本発明に係る第４の実施形態に従った通信装置１０３のキャリア選択部３１〜３３を示す概略図である。本実施形態おけるキャリア選択部３１〜３３のそれぞれは、パイロットキャリア信号の信号強度に関する閾値Ｔｈを設定する閾値決定部３４を有する。キャリア選択部３１〜３３のそれぞれの閾値決定部３４は、同一の閾値Ｔｈを決定する。キャリア選択部３１は、アンテナ部１１によって受信された各マルチキャリア信号のうち、その閾値Ｔｈを超えたパイロットキャリア信号ＰＣ１〜ＰＣ３を選択する。キャリア選択部３２および３３は、それぞれアンテナ部１２および１３によって受信された各マルチキャリア信号のうち、閾値Ｔｈを超えたパイロットキャリア信号を選択する。通信装置１０３のその他の構成は、図１に示す形態と同様である。
【００３６】
このように、本実施形態では、マルチキャリア信号内のパイロットキャリア信号のうち、閾値Ｔｈより大きな信号強度を有するパイロットキャリア信号が選択される。尚、本実施形態では閾値Ｔｈを超えたパイロットキャリア信号のみを選択するので、キャリア選択部３１〜３３のそれぞれにおいて選択されるパイロットキャリア信号の数は互いに異なる場合がある。
【００３７】
本実施形態は、第３の実施形態と同様の効果を有する。また、本実施形態によれば、キャリア選択部３１〜３３において、パイロットキャリア信号ＰＣ４等のように信号強度が閾値Ｔｈよりも低い信号は除かれる。アンテナ選択部４０は、パイロットキャリア信号の中でも歪の少ない信号強度の大きなパイロットキャリア信号を用いてアンテナ部を選択することができる。その結果、通信装置１０３は、通信品質の良いアンテナを選択することができる。特に、復調部において信号強度が大きいパイロットキャリアのみを歪補正に用いる場合有効である。
【００３８】
例えば、図５（Ｂ）および図５（Ｃ）には、アンテナ部１１および１２のそれぞれによって受信されたマルチキャリア信号のグラフを示す。キャリア選択部３１は、アンテナ部１１からのマルチキャリア信号からパイロットキャリア信号ＰＣ２およびＰＣ３を選択する。キャリア選択部３２は、アンテナ部１２からのマルチキャリア信号からパイロットキャリア信号ＰＣ５〜ＰＣ８を選択する。パイロットキャリア信号ＰＣ２およびＰＣ３の平均信号強度は、パイロットキャリア信号ＰＣ５〜ＰＣ８のそれよりも明らかに大きい。よって、本実施形態によれば、アンテナ選択部４０は、アンテナ１１を確実に選択する。
【００３９】
一方、閾値が設定されていない場合には、キャリア選択部３１は、パイロットキャリア信号ＰＣ２およびＰＣ３だけでなく、歪の大きなパイロットキャリア信号ＰＣ１およびＰＣ４をも選択する。この場合、パイロットキャリア信号ＰＣ１〜ＰＣ４の平均信号強度は、パイロットキャリア信号ＰＣ２およびＰＣ３の平均信号強度よりも小さくなる。よって、パイロットキャリア信号ＰＣ１〜ＰＣ４の平均信号強度とパイロットキャリア信号ＰＣ５〜ＰＣ８の平均信号強度との差は、閾値を設定した場合よりも小さくなる。従って、アンテナ選択部４０がアンテナ１１を確実に選択するためには、キャリア選択部３１に信号強度の閾値を設けることが好ましい。
【００４０】
本実施形態は、信号強度が大きく良好なパイロットキャリア信号と信号強度が極端に小さいパイロットキャリア信号とがマルチキャリア信号内に混在する場合に有効である。特に、復調部において信号強度が大きいパイロットキャリアのみを歪補正に用いる場合に効果を発揮する。
【００４１】
（第５の実施形態）
図６（Ａ）は、本発明に係る第５の実施形態に従った通信装置１０４のキャリア選択部３１〜３３を示す概略図である。図６に示すように、マルチキャリア信号の信号強度が全体として大きいまたは小さいことが明らかな場合には、閾値決定部３４は、閾値Ｔｈの値をゼロにする。これにより、キャリア選択部３１〜３３は、それぞれマルチキャリア信号内の全てのパイロットキャリア信号を選択する。アンテナ選択部４０は、全てのパイロットキャリア信号の平均信号強度に基づいてアンテナを選択することができる。例えば、図６（Ｂ）および図６（Ｃ）には、アンテナ部１１および１２のそれぞれによって受信されたマルチキャリア信号のグラフを示す。図６（Ｂ）および図６（Ｃ）に示すように、アンテナ選択部４０は、パイロットキャリア信号ＰＣ１〜ＰＣ４およびパイロットキャリア信号ＰＣ５〜ＰＣ８のそれぞれの平均信号強度を算出する。この結果に基づいて、アンテナ選択部４０は、全体的に信号強度の大きなアンテナ１１を選択する。
【００４２】
本実施形態は第１の実施形態と同様の効果を有する。特に、本実施形態は、マルチキャリア信号内の各パイロットキャリア間の歪の差が比較的小さい場合に有効である。即ち、本実施形態は、パイロットキャリア信号の信号強度が全体的に大きいまたは小さい場合に有効である。
【００４３】
（第６の実施形態）
図７は、本発明に係る第６の実施形態に従った通信装置１０５のキャリア選択部３１〜３３を示す概略図である。本実施形態おけるキャリア選択部３１〜３３のそれぞれは、最小値検出部３５を有する。本実施形態の他の構成は、図１に示す形態と同様である。
【００４４】
最小値検出部３５は、パイロットキャリア信号のうち信号強度が最小であるパイロットキャリア信号を検出する。例えば、キャリア選択部３１において、最小値検出部３５は、パイロットキャリア信号ＰＣ４を検出する。キャリア選択部３１は、パイロットキャリア信号ＰＣ４を選択する。このように、本実施形態では、マルチキャリア信号内のパイロットキャリア信号のうち、信号強度の最も小さなパイロットキャリア信号が選択される。キャリア選択部３２および３３においても、マルチキャリア信号内のパイロットキャリア信号のうち、信号強度の最も小さなパイロットキャリア信号が選択される。
【００４５】
アンテナ選択部４０は、キャリア選択部３２および３３において選択されたパイロットキャリア信号のそれぞれを比較し、最も大きな信号強度を有するアンテナ部を選択する。これにより、本実施形態は、信号強度の大きなアンテナ部を選択することができる。
【００４６】
本実施形態は第１の実施形態と同様の効果を有する。特に、本実施形態は、マルチキャリア信号内の各パイロットキャリア信号間の歪の差が比較的小さい場合に有効である。即ち、本実施形態は、パイロットキャリア信号の信号強度が全体的に大きいまたは小さい場合に有効である。
【００４７】
例えば、図７（Ｂ）および図７（Ｃ）には、アンテナ部１１および１２のそれぞれによって受信されたマルチキャリア信号のグラフを示す。図７（Ｂ）に示すマルチキャリア信号のうち、信号強度の最も小さいパイロットキャリア信号がＰＣ４であるとする。図７（Ｃ）に示すマルチキャリア信号のうち、信号強度の最も小さいパイロットキャリア信号がＰＣ５であるとする。アンテナ選択部４０は、パイロットキャリア信号ＰＣ４およびＰＣ５を比較する。さらに、アンテナ選択部４０は、信号強度の比較的大きなパイロットキャリア信号ＰＣ４を受信したアンテナ１１を選択する。
【００４８】
（第７の実施形態）
図８は、本発明に係る第７の実施形態に従った通信装置１０６のキャリア選択部３１〜３３を示す概略図である。本実施形態おけるキャリア選択部３１〜３３のそれぞれは、最小値検出部３５および最小パイロットキャリア信号除去部３６（以下、単に、除去部３６という）を有する。本実施形態の他の構成は、図１に示す形態と同様である。
【００４９】
最小値検出部３５は、パイロットキャリア信号のうち信号強度が最小であるパイロットキャリア信号を検出する。例えば、キャリア選択部３１において、最小値検出部３５は、パイロットキャリア信号ＰＣ４を検出する。除去部３６は、パイロットキャリア信号ＰＣ４以外のパイロットキャリア信号ＰＣ１〜ＰＣ３を選択する。このように、本実施形態では、マルチキャリア信号内のパイロットキャリア信号のうち、信号強度の最も小さなパイロットキャリア信号以外の信号が選択される。キャリア選択部３２および３３においても、マルチキャリア信号内のパイロットキャリア信号のうち、信号強度の最も小さなパイロットキャリア信号以外の信号が選択される。
【００５０】
アンテナ選択部４０において、演算部４２は、キャリア選択部３１〜３３において選択されたパイロットキャリア信号のそれぞれの平均信号強度ＡＶ１、ＡＶ２およびＡＶ３を算出する。信号強度比較部４４は、平均信号強度ＡＶ１、ＡＶ２およびＡＶ３を比較し、最も大きな平均信号強度を有するアンテナ部を選択する。
【００５１】
本実施形態は第１の実施形態と同様の効果を有する。さらに、本実施形態によれば、信号強度の最も小さなパイロットキャリア信号以外のパイロットキャリア信号が選択されるので、通信装置１０５は、通信品質の良いアンテナを確実に選択することができる。特に、復調部において信号強度が大きいパイロットキャリアのみを歪補正に用いる場合に有効である。
【００５２】
本実施形態は、信号強度が大きく良好なパイロットキャリア信号と信号強度が極端に小さいパイロットキャリア信号とがマルチキャリア信号内に混在する場合に有効である。本実施形態は、マルチキャリア信号内に歪の大きなパイロットキャリア信号と歪の小さなパイロットキャリア信号が混在する場合に有効である。特に、復調部において信号強度が大きいパイロットキャリアのみを歪補正に用いる場合に有効である。
【００５３】
（第８の実施形態）
図９は、本発明に係る第８の実施形態に従った通信装置１０７のキャリア選択部３１〜３３を示す概略図である。本実施形態おけるキャリア選択部３１〜３３のそれぞれは、最小値検出部３５、除去部３６および最小値検出部３７を有する。本実施形態の他の構成は、図１に示す形態と同様である。
【００５４】
最小値検出部３５および除去部３６は、それぞれ第７の実施形態における最小値検出部３５および除去部３６と同様の構成である。最小値検出部３７は、除去部３６において選択されたパイロットキャリア信号ＰＣ１〜ＰＣ３のうち信号強度の最も小さなパイロットキャリア信号ＰＣ３を選択する。このように、本実施形態では、マルチキャリア信号内のパイロットキャリア信号のうち、信号強度の２番目に小さなパイロットキャリア信号が選択される。キャリア選択部３２および３３においても、マルチキャリア信号内のパイロットキャリア信号のうち、信号強度の２番目に小さなパイロットキャリア信号が選択される。
【００５５】
例えば、図９（Ｂ）および図９（Ｃ）には、アンテナ部１１および１２のそれぞれによって受信されたマルチキャリア信号のグラフを示す。キャリア選択部３１において、最小値検出部３５はパイロットキャリア信号ＰＣ４を検出する。キャリア選択部３１において、除去部３６は、パイロットキャリア信号ＰＣ１〜ＰＣ３を選択する。さらに、キャリア選択部３１において、最小値検出部３７は、パイロットキャリア信号ＰＣ１を選択する。
【００５６】
一方、キャリア選択部３２において、最小値検出部３５はパイロットキャリア信号ＰＣ８を検出する。キャリア選択部３２において、除去部３６は、パイロットキャリア信号ＰＣ５〜ＰＣ７を選択する。さらに、キャリア選択部３２において、最小値検出部３７は、パイロットキャリア信号ＰＣ５を選択する。
【００５７】
アンテナ選択部４０は、パイロットキャリア信号ＰＣ１およびＰＣ５を比較する。これにより、アンテナ選択部４０は、アンテナ１１を確実に選択することができる。
【００５８】
本実施形態は第１の実施形態と同様の効果を有する。さらに、本実施形態による通信装置１０５は、或る１つのパイロットキャリア信号の信号強度が極端に小さくかつ他のパイロットキャリア信号の信号強度が大きい場合に、通信品質の良いアンテナを確実に選択することができる。特に、復調部において信号強度が大きいパイロットキャリアのみを歪補正に用いる場合に有効である。
【００５９】
（第９の実施形態）
図１０は、本発明に係る第９の実施形態に従った通信装置１０８のキャリア選択部３１〜３３を示す概略図である。キャリア選択部３１は、サブキャリア信号のうち周波数の最も小さなパイロットキャリア信号ＰＣ１と、周波数の最も大きなパイロットキャリア信号ＰＣ４との間のサブキャリア信号ＳＣｍｉｄを選択する。キャリア選択部３２および３３も、それぞれサブキャリア信号のうち周波数の最も小さなパイロットキャリア信号と、周波数の最も大きなパイロットキャリア信号との間のサブキャリア信号を選択する。本実施形態の他の構成は、図１に示す形態と同様である。
【００６０】
アンテナ選択部４０において、演算部４２は、キャリア選択部３１〜３３のそれぞれについて、サブキャリア信号ＳＣｍｉｄの平均信号強度ＡＶ１〜ＡＶ３を算出する。さらに、信号強度比較部４４は、平均信号強度ＡＶ１〜ＡＶ３を比較して、平均信号強度の最も大きなアンテナ部を選択する。
【００６１】
周波数の最も小さなパイロットキャリア信号ＰＣ１よりも周波数の小さいサブキャリア信号ＳＣｍｉｎ、および、周波数の最も大きなパイロットキャリア信号ＰＣ４よりも周波数の大きいサブキャリア信号ＳＣｍａｘは、通常、復調に大きな影響を与えない。よって、通信装置１０８は、サブキャリア信号ＳＣｍｉｄを選択することによって、通信品質の良いアンテナを確実に選択することができる。さらに、本実施形態は、第１の実施形態と同様の効果を有する。
【００６２】
（第１０の実施形態）
図１１は、本発明に係る第１０の実施形態に従った通信装置１１０を示すブロック図である。通信装置１１０は、受信強度測定部６１〜６３をさらに備えている点で第１の実施形態と異なる。受信強度測定部６１〜６３は、それぞれアンテナ部１１〜１３を介して受信されたマルチキャリア信号の信号強度を測定する。受信強度測定部６１〜６３は、パイロットキャリア信号だけでなく、全体の信号強度も測定する。
【００６３】
アンテナ選択部４０は、キャリア選択部３１〜３３によって選択されたパイロットキャリア信号の信号強度と、受信強度測定部６１〜６３によって測定された全体の信号強度との組み合わせに基づいてアンテナ部を選択する。例えば、アンテナ選択部４０は、キャリア選択部３１〜３３によって選択されたパイロットキャリア信号の平均信号強度ＡＶＰの定数倍a*ＡＶＰと、受信強度測定部６１〜６３によって測定された全体の信号強度ＡＶＳの定数倍b*ＡＶＳの和a*ＡＶＰ+b*ＡＶＳが最も大きなアンテナ部を選択する。即ち、一定の重み付けをし、それによりパイロットキャリア信号強度と全体の信号強度の両方を用いてアンテナ部を選択する。
【００６４】
本実施形態は、第１の実施形態と同様の効果を有する。さらに、本実施形態は、パイロットキャリア信号だけでなく、他のサブキャリア信号をも考慮してアンテナ部を選択することができる。よって、通信装置１１０は、高品質の通信を行うことができる。
【００６５】
第１から第１０の実施形態において、アンテナ選択部４０は、キャリア選択部３１〜３３において選択されたサブキャリア信号の信号強度に基づいてアンテナ部を選択した。しかし、アンテナ選択部４０は、キャリア選択部３１〜３３において選択されたサブキャリア信号のＥＶＭ（Error Vector Magnitude）値に基づいてアンテナ部を選択してもよい。この場合、上述の“信号強度”という記載を、“ＥＶＭ値”に置き換えればよい。
【００６６】
（第１１の実施形態）
図１２は、本発明に係る第１１の実施形態に従った通信装置１２０の復調部５０を示すブロック図である。復調部５０は、アンテナ選択部４０がアンテナ部を選択した後に、そのアンテナ部を介して受信したマルチキャリア信号を復調する。本実施形態のその他の構成は、図１に示す構成と同じでよい。尚、図１２および図１３において、信号変換部から歪補正部５５へ向かう複数の矢印は、各サブキャリア信号の流れを示す。
【００６７】
復調部５０は、強度測定部５１、閾値判定部５２、歪量算出部５３、演算部５４および歪補正部５５を有する。復調部５０は信号変換部２１からマルチキャリア信号を受信する。強度測定部５１は、このマルチキャリア信号のうちパイロットキャリア信号の信号強度を測定する。閾値判定部５２は、信号強度に関する閾値を有し、この閾値以上の信号強度を有するパイロットキャリア信号を選択する。
【００６８】
歪量算出部５３は、閾値判定部５２によって選択されたパイロットキャリア信号の歪量を測定する。例えば、通信相手から送信された時のパイロットキャリア信号の位相や周波数は、通常、通信装置１２０にとって既知である。よって、歪量算出部５３は、発信時のパイロットキャリア信号の位相と受信時のパイロットキャリア信号の位相との位相差を歪量として算出することができる。
【００６９】
演算部５４は、歪量算出部５３から得た歪量から歪補正値を算出する。例えば、閾値判定部５２が複数のパイロットキャリア信号を選択した場合、演算部５４は、複数の歪量の平均値を歪補正値とすることができる。
【００７０】
歪補正部５５は、歪補正量に従って各サブキャリア信号を補正する。例えば、歪補正部５５は、演算部５４において算出された位相差だけ、各サブキャリア信号の位相を戻す。各サブキャリア信号の歪が補正された後、マルチキャリア信号は、復号部（図示せず）へ送られる。
【００７１】
信号強度の小さいパイロットキャリア信号は大きく歪んでいる場合が多い。このようなパイロットキャリア信号を用いて歪補正を行なった場合、復調部５０はサブキャリア信号を正確に補正することができない。よって、本実施形態のように、ある閾値以上の信号強度を有するパイロットキャリア信号のみを選択することによって、復調部５０はサブキャリア信号を正確に補正することが可能となる。その結果、通信装置１２０は、高品質な受信特性を得ることができる。
【００７２】
本実施形態は、第１から第１０の実施形態のいずれかと組み合せることができる。それによって、本実施形態は、第１から第１０の実施形態の効果をも有し得る。特に、本実施形態と第４の実施形態とを組み合せることによって、復調部５０およびキャリア選択部３１〜３３において共通の閾値Ｔｈを用いることができる。
【００７３】
（第１２の実施形態）
図１３は、本発明に係る第１２の実施形態に従った通信装置１２１の復調部５０を示すブロック図である。本実施形態は、演算部５４においてパイロットキャリア信号の信号強度を用いて歪量に対して重み付けをし、それによって歪補正値を算出する点で第１１の実施形態と異なる。
【００７４】
演算部５４は、強度測定部５１からパイロットキャリア信号の信号強度を獲得し、歪量算出部５３からパイロットキャリア信号の歪量（例えば、位相差）を獲得する。演算部５４は、信号強度に基づいて歪量に対して重み付けをし、それにより歪補正値を算出する。例えば、演算部５４は、各パイロットキャリア信号の信号強度の比率をその歪量に積算し、さらに、その結果を足し合わせて歪補正値を算出する。
【００７５】
具体的には、パイロットキャリア信号ＰＣ１、ＰＣ２およびＰＣ３の信号強度の比率が０．５：０．２：０．３であり、パイロットキャリア信号ＰＣ１、ＰＣ２およびＰＣ３のそれぞれの位相差が１０度、２０度および３０度であると仮定する。この場合、演算部５４は、（０．５／１）＊１０＋（０．２／１）＊２０＋（０．３／１）＊３０を算出する。その結果、演算部５４は１８度を歪補正値とする。
【００７６】
一般に、信号強度の小さいパイロットキャリア信号は大きく歪んでいる場合が多いので、パイロットキャリア信号の信号強度が高いほど、歪量の信頼度が高い傾向にある。よって、本実施形態は、パイロットキャリア信号の信頼度に応じて重み付けをすることができるので、他のサブキャリア信号の歪量を正確に補正することができる。その結果、通信装置１２１は、高品質な受信特性を得ることができる。
【００７７】
（第１３の実施形態）
さらに図１３を参照して、本発明に係る第１３の実施形態を説明する。本実施形態において、演算部５４は、強度測定部５１からパイロットキャリア信号の信号強度を獲得し、歪量算出部５３からパイロットキャリア信号の歪量（例えば、位相差）を獲得する。
【００７８】
パイロットキャリア信号の信号強度およびその歪量によって、パイロットキャリア信号はそれぞれベクトルで表すことができる。演算部５４は、これらのベクトルを合成し、１つの合成ベクトルとして表す。さらに、演算部５４は、この合成ベクトルの角度から歪補正値を得る。
【００７９】
本実施形態は、第１２の実施形態と同様に、パイロットキャリア信号の歪量だけでなく、信号強度をも考慮して歪補正値を算出する。よって、本実施形態は、第１２の実施形態と同様の効果を有する。
【００８０】
尚、第１２および第１３の実施形態は、第１１の実施形態と組み合せてもよい。それによって、第１２および第１３の実施形態は第１１の実施形態の効果を得ることができる。
【００８１】
（第１４の実施形態）
第１４の実施形態は、パイロットキャリア信号の周波数に近接した周波数をもつサブキャリア信号を選択するものである。
【００８２】
図１５は本発明の第１４の実施形態による無線受信装置の概略構成を示すブロック図である。図１５の無線受信装置は、複数のアンテナ部１１〜１３と、複数の信号変換部２１〜２３と、複数のキャリア選択部３１〜３３と、アンテナ選択部４０と、復調部５０とを備えている。アンテナ部１１〜１３のそれぞれは、不図示の送信装置が送信したマルチキャリア信号を受信する。
【００８３】
信号変換部２１〜２３とキャリア選択部３１〜３３のそれぞれは、アンテナ部１１〜１３に対応して、アンテナ部１１〜１３と同数だけ設けられている。図１５では、アンテナ部、信号変換部およびキャリア選択部を３つずつ設ける例を説明するが、数には特に制限はない。
【００８４】
各キャリア選択部３１〜３３は、対応する信号変換部を通過したマルチキャリア信号の中から複数のパイロットサブキャリアのそれぞれに近接した周波数をもつサブキャリア信号を少なくとも一つ選択する。復調部５０は、アンテナ部で選択されたアンテナ部で受信されたマルチキャリア信号を復調する。
【００８５】
図１５のキャリア選択部３１〜３３は、図示の特性グラフに従ってサブキャリア信号を選択する。同図のグラフは、横軸が周波数、縦軸が信号強度として、マルチキャリア信号の信号波形を示している。図示のように、マルチキャリア信号は、互いに周波数帯が異なる複数のサブキャリア信号を有する。マルチキャリア信号の中には、既知信号であるパイロットキャリア信号が複数設けられている（グラフ中の周波数ｆ1，ｆ2）。
【００８６】
キャリア選択部３１〜３３は、周波数ｆ1，ｆ2のパイロットキャリア信号に最近接している周波数ｆ1−ｆa，ｆ1＋ｆa，ｆ2−ｆa，ｆ2＋ｆaの４つのサブキャリア信号を選択する。キャリア選択部３１〜３３で選択されたサブキャリア信号は、アンテナ選択部４０に送信される。
【００８７】
アンテナ選択部４０は、演算部４２および信号強度比較部４４を有する。演算部４２は、キャリア選択部３１によって選択されたサブキャリア信号ＳＣ１、ＳＣ２、ＳＣ３、ＳＣ４の平均信号強度ＡＶ１と、キャリア選択部３２によって選択されたサブキャリア信号の平均信号強度ＡＶ２と、キャリア選択部３３によって選択されたサブキャリア信号の平均信号強度ＡＶ３とをそれぞれ演算する。
【００８８】
信号強度比較部４４は、平均信号強度ＡＶ１、ＡＶ２およびＡＶ３を比較し、平均信号強度が最大であるアンテナ部をアンテナ部１１〜１３の中から選択する。
【００８９】
本実施形態のキャリア選択部３１〜３３は、４つのサブキャリア信号を選択しているが、3つ以下または５つ以上のサブキャリア信号を選択してもよい。すなわち、上述した例では、パイロットキャリア信号の周波数を挟んで両側に近接するサブキャリア信号を一つずつ選択したが、複数個ずつ選択してもよいし、片側のみのサブキャリア信号を選択してもよい。また、マルチキャリア信号に含まれるパイロットキャリア信号の数も２個に限らない。さらに、パイロットキャリア信号の周波数に最近接した周波数以外の周波数のサブキャリア信号を選択してもよい。
【００９０】
図１６は図１５の無線受信装置の処理動作の一例を示すフローチャートである。まず、アンテナ部１１〜１３は、マルチキャリア変調方式によって変調されたマルチキャリア信号を受信する（ステップＳ６０）。次に、信号変換部２１〜２３のそれぞれは、アンテナ部１１〜１３からのマルチキャリア信号を変換する。これにより、マルチキャリア信号は、互いに周波数帯の異なる複数のサブキャリア信号により構成された信号へ変換される（ステップＳ６２）。
【００９１】
次に、キャリア選択部３１〜３３は、パイロットキャリア信号の周波数に最近接した周波数のサブキャリア信号を複数個ずつ選択する（ステップＳ６４）。
【００９２】
アンテナ選択部４０は、キャリア選択部３１〜３３によって選択されたサブキャリア信号の信号強度に基づいて、マルチキャリア信号を受信するために用いるアンテナ部を選択する（ステップＳ６６）。復調部５０は、アンテナ選択部４０によって選択されたアンテナ部によって受信されたマルチキャリア信号を復調する（ステップＳ６８）。
【００９３】
復調部５０は、アンテナ選択部４０がアンテナ部の選択を行うまでは復調処理を行わない。復調部５０には、アンテナ選択部４０より、アンテナ部の選択が終了したことを示す信号が供給される。この信号が受信された後に、復調部５０は復調処理を行う。これにより、復調部５０での消費電力を減できるとともに、通信品質の悪い信号を誤って復調するおそれもなくなる。
【００９４】
第１４の実施形態によれば、所定の周波数帯にある特定のサブキャリア信号の信号強度に基づいてアンテナ部を選択することができる。特に、本実施形態は、復調に大きな影響を与えるパイロットキャリア信号の信号強度が大きいアンテナを選択したいが、何らかの事情で、キャリア選択する際にパイロットキャリア信号が送信されてこない場合に有益である。本実施形態では、パイロットキャリア信号が受信されなくても、パイロットキャリア信号に近接するサブキャリア信号を選択する。パイロットキャリア信号に近接するサブキャリア信号は、パイロットキャリア信号との信号強度の相関性が高いため、パイロットキャリア信号に基づいてアンテナ部を選択した場合とほぼ同様に、通信品質のよいアンテナ部を選択できる。
【００９５】
（第１５の実施形態）
第１５の実施形態は、アンテナ選択部４０の構成が第１４の実施形態と異なっている。
【００９６】
図１７は本発明の第１５の実施形態による無線受信装置の内部構成を示すブロック図である。図１７の無線受信装置は、アンテナ選択部４０の内部構成が異なる他は、図１５と同様に構成されている。図１７のアンテナ選択部４０は、パイロットキャリア信号の周波数に最近接の周波数をもつサブキャリア信号の中から受信強度が最小のサブキャリア信号を各アンテナ部ごとに選択するパイロット近接キャリア抽出部３５と、パイロット近接キャリア抽出部３５で抽出されたサブキャリア信号の中から受信強度が最大のサブキャリア信号に対応するアンテナ部を選択する受信レベル比較部３６とを有する。
【００９７】
パイロット近接キャリア抽出部３５が受信強度が最小のサブキャリア信号を選択する理由は、受信強度が小さいほどノイズの影響を受けやすいためである。受信レベル比較部３６は、各アンテナ部ごとに選択された、ノイズの影響を受けやすいサブキャリア信号の中から、受信強度が最大のサブキャリア信号を抽出して、対応するアンテナ部を選択する。
【００９８】
このように、第１５の実施形態は、サブキャリア信号の受信強度を平均化する代わりに、受信強度が小さいサブキャリア信号を選択して比較するため、ノイズの影響をより受けにくくなる。
【００９９】
（第１６の実施形態）
第１６の実施形態は、信号変換部とキャリア選択部を共用してアンテナを選択するものである。
【０１００】
図１８は本発明の第１６の実施形態による無線受信装置の内部構成を示すブロック図である。図１８の無線受信装置は、複数のアンテナ部１１〜１３と、各アンテナ部で共用される信号変換部２１、キャリア選択部３１およびアンテナ選択部４０と、復調部５０とを備えている。
【０１０１】
信号変換部２１は、マルチキャリア信号を増幅するＬＮＡ（Low Noise Amplifier）２４と、マルチキャリア信号の周波数をベースバンドに周波数変換するＤ／Ｃ（Down Converter）部２５と、アナログ信号をデジタル信号に変換するＡ／Ｄ変換部２６と、マルチキャリア信号のそれぞれに対して離散フーリエ変換を行うFFT（Fast Fourier Transfer）部２７とを有する。信号変換部２１を通過したマルチキャリア信号は、互いに周波数帯の異なる複数のサブキャリア信号で構成される。
【０１０２】
キャリア選択部３１は、信号変換部２１内のFFT部２７の出力に接続されている。キャリア選択部３１はパイロット近接キャリア抽出部３５と受信レベル比較部３６とを有する。パイロット近接キャリア抽出部３５は、FFT部２７から入力されたマルチキャリア信号の中から複数のパイロットサブキャリアの各周波数に最近接した周波数をもつサブキャリアを少なくとも１つ選択する。受信レベル比較部３６は、パイロット近接キャリア抽出部３５で抽出されたサブキャリアの中で最も受信強度が小さいサブキャリアを選択しアンテナ選択部４０に出力する。
【０１０３】
アンテナ選択部４０は、キャリア選択部３１で選択されたサブキャリアの情報を記憶する記憶部４５と、記憶部４５の情報に基づいて比較演算を行ってどのアンテナを選択するかを決定可能なアンテナ間受信レベル比較部４６とを有する。
【０１０４】
まず、アンテナ選択部４０でアンテナ部１１を選択し、アンテナ部１１で受信した信号を信号変換部２１で変換し、信号変換部２１で変換された信号をキャリア選択部３１で複数のパイロットサブキャリアの各々に周波数が最も近いサブキャリアのうち、受信レベルが最も小さいサブキャリアを選択して、アンテナ選択部４０の記憶部４５にその情報を記憶する。
【０１０５】
次に、アンテナ選択部４０は、アンテナ部１２を選択して同様に処理を行い、アンテナ選択部４０の記憶部４５にその情報を追加して記憶する。
【０１０６】
次に、アンテナ選択部４０はアンテナ部１３を選択して同様に処理を行い、アンテナ選択部４０の記憶部４５にその情報を追加して記憶する。
【０１０７】
その後、アンテナ間受信レベル比較部４６は、記憶部４５に記憶された情報に基づいて、選択されたサブキャリアの受信レベルが最も大きなアンテナ部を選択する。
【０１０８】
図１９は図１８の無線受信装置の処理動作の一例を示すフローチャートである。まず、アンテナ選択部４０で、いずれか一つのアンテナ部を選択する（ステップＳ７１）。次に、選択したアンテナ部を用いて、マルチキャリア信号を受信する（ステップＳ７２）。次に、受信したマルチキャリア信号を、信号変換部２１にて、互いに周波数の異なるサブキャリア信号を含む信号に変換する（ステップＳ７３）。次に、キャリア選択部３１により、特定のサブキャリア信号を抽出して、抽出したサブキャリア信号の信号強度に基づいて、サブキャリア信号を選択する（ステップＳ７４）。次に、キャリア選択部３１で選択されたサブキャリア信号の情報をアンテナ選択部４０内の記憶部４５に記憶する（ステップＳ７５）。
【０１０９】
次に、すべてのアンテナ部についての処理を行ったか否かを判定し（ステップＳ７６）、まだ処理を行っていないアンテナ部が存在すれば、いずれかのアンテナ部を選択し（ステップＳ７７）、ステップＳ７１〜Ｓ７６の処理を繰り返す。
【０１１０】
すべてのアンテナ部についての処理が終了した場合には、アンテナ間受信レベル比較部４６により、いずれかのアンテナ部を選択する（ステップＳ７８）。そして、アンテナ選択部４０で選択したアンテナ部にて受信されたマルチキャリア信号を復調部５０に伝送して、復調処理を行う（ステップＳ７９）。
【０１１１】
図１８の無線受信装置は、信号変換部２１とキャリア選択部３１を一組しか持たないため、アンテナ部を順に選択して、信号変換部２１とキャリア選択部３１での処理を行い、各アンテナ部に対応するサブキャリア信号の情報を記憶部４５に記憶している。マルチキャリア信号がパケットの形態で送信される場合には、パケットのデータ部を受信する前に、パケットのプリアンブル部を受信した段階で図１９の処理を行うのが望ましい。
【０１１２】
図２０はパケットのデータ構成を示す図である。図示のように、各パケットは、プリアンブル部１５とデータ部１６を有する。プリアンブル部１５とデータ部１６のそれぞれがマルチキャリア信号で構成されるため、本実施形態では、プリアンブル部１５を利用して図１９の処理を行う。仮に、データ部１６でアンテナ部の選択を行ったとすると、信号変換部２１でのゲインコントロールや伝送路特性の補正がアンテナ部に適した値にならないおそれがある。そこで、本実施形態では、パケットのデータ部１６を受信するまでに、プリアンブル部１５を用いて、アンテナ部の選択と、そのアンテナで受信した信号のゲインコントロールと、Ｄ／Ｃ部より後段の伝送路特性を補正する。
【０１１３】
このように、第１６の実施形態では、一組の信号変換部２１とキャリア選択部３１をすべてのアンテナ部が共用するため、各アンテナ部ごとに信号変換部２１とキャリア選択部３１を設けなくて済み、無線受信装置の内部構成を簡略化でき、小型化および消費電力の削減が可能となる。また、図１９の処理を行って最適なアンテナ部を選択するため、通信品質のよいアンテナ部を確実に選択できる。さらに、受信パケットのプリアンブル部１５に基づいてアンテナ部の選択等を行うため、受信データの即時処理（リアルタイム処理）が可能となる。
【０１１４】
（第１７の実施形態）
第１７の実施形態は、キャリア選択部３１内の処理を高速化するものである。
【０１１５】
図２１は本発明の第１７の実施形態に係る無線受信装置の概略構成を示すブロック図である。図２１の無線受信装置は、キャリア選択部３１の内部構成が図１８と異なっており、それ以外は図１８と同様に構成されている。
【０１１６】
図２１の無線受信装置内のキャリア選択部３１は、信号変換部２１内のFFT部２７とは別個に、FFT部３７を有する。このFFT部３７には、信号変換部２１内のA/D部の出力信号が入力される。以下、FFT部３７を設ける理由を説明する。
【０１１７】
図２１の無線受信装置も、パケットのプリアンブル部１５を用いて、アンテナ部の選択と、そのアンテナで受信した信号のゲインコントロールと、Ｄ／Ｃ部より後段の伝送路特性を補正する必要がある。パケットのデータ部１６でアンテナを切り替えるとゲインコントロールや伝送路特性の補正を行う。
【０１１８】
図２２はIEEE802.11aに準拠したパケットのデータ部１６の周波数特性を示す図である。横軸は周波数、縦軸は信号レベルを表している。パケットを構成するマルチキャリア信号は、０を除く＋２６から−２６まで、５２本のサブキャリアで構成されている。−２１、−７、＋７、＋２１のサブキャリアがパイロットキャリア信号である。
【０１１９】
一方、図２３はIEEE802.11aに準拠したパケットのプリアンブル部１５の一部であるショートプリアンブルの周波数特性を示す図である。横軸は周波数、縦軸は信号レベルを表している。データ部１６と異なり、＋２４、＋２０、＋１６、＋１２、＋８、＋４、−４、−８、−１２、−１６、−２０、−２４の１２本のサブキャリアで構成され、データ部１６のパイロットキャリアに相当する周波数成分のサブキャリアが存在しない。
【０１２０】
このため、プリアンブル部１５を用いてサブキャリア信号を選択するために、複数のパイロットキャリア信号の各々に周波数が最も近いサブキャリア信号を選択する。すなわち−２０、−８、＋８、＋２０のサブキャリア信号を選択する。
【０１２１】
図２２と図２３を比較すればわかるように、プリアンブル部１５のサブキャリア信号は、データ部１６のサブキャリア信号よりも４倍長い周期で配置されている。このような特徴を利用すれば、通常より短い時間で各サブキャリアの電力測定を行うことができる。
【０１２２】
図２２に示すデータ部１６の構成では、OFDMの直交性により、サブキャリアナンバーが最も０に近いサブキャリアの基本周波数fkの逆数Tk=1/fkの時間でフーリエ変換して受信強度を測定する必要がある。
【０１２３】
一方、図２３の構成では、基本周波数が４倍の４＊fkで、さらにその定数倍の周波数成分しか存在しないため、Tk/4=1/(4*fk)の時間でフーリエ変換して受信強度を測定することができる。すなわち、データ部１６の処理時間の1/4倍の時間で信号強度を測定することができる。
【０１２４】
そこで、本実施形態では、データ部１６を処理するFFT部３７とは別個にFFT部３７を設けることにより、FFT部３７よりも1/4の時間で高速フーリエ変換を行う。
【０１２５】
このように、第１７の実施形態では、信号変換部２１内のFFT部３７とは別個に、キャリア選択部３１内にFFT部３７を設けてパケットのプリアンブル部１５に基づいてアンテナ部の選択を行うため、通信品質のよいアンテナ部を短時間で選択できる。
【０１２６】
（第１８の実施形態）
第１８の実施形態は、第１７の実施形態の変形例であり、キャリア選択部３１の内部構成が図２１と異なっている。
【０１２７】
図２４は本発明の第１８の実施形態による無線受信装置の概略構成を示すブロック図である。図２４の無線受信装置内のキャリア選択部３１は、相関演算部３８と、受信レベル比較部３６とを有する。相関演算部３８は、マルチキャリア信号に含まれるサブキャリア信号の周波数との相関度を演算する。パイロットキャリア信号の周波数は既知であるため、この周波数に最近接した周波数との相関度を演算することにより、パイロットキャリア信号の周波数に最近接した周波数をもつサブキャリア信号を抽出できる。
【０１２８】
このように、第１８の実施形態によれば、キャリア選択部３１内にFFT部やパイロット近接キャリア抽出部を設けることなく、パイロットキャリア信号の周波数に最近接した周波数をもつサブキャリア信号を抽出できるため、キャリア選択部３１の内部構成を簡略化でき、小型化および消費電力の削減を図ることができる。
【０１２９】
（第１９の実施形態）
第１６および第１７の実施形態では、パケットのプリアンブル部１５に基づいてアンテナ部の選択を行う例を説明した。ところが、信号変換部２１や復調部５０のアルゴリズムによっては、重要でないパイロットキャリア信号も存在しうる。例えば、IEEE802.11aでは、パイロットキャリア信号を主に周波数補正および位相補正に用いるが、４本のパイロットサブキャリア信号をすべて用いるとは限らない。
【０１３０】
このため、パイロットキャリアの受信強度がある閾値より小さく信頼性の低いパイロットキャリアは周波数補正および位相補正に用いないというアルゴリズムが考えられる。すなわち、この場合は受信強度が小さいパイロットキャリアは復調において重要ではない。
【０１３１】
第１９の実施形態による無線受信装置の内部構成は、図２１と同様であるため、その説明を省略する。
【０１３２】
図２５は第１７の実施形態の処理手順の一例を示すフローチャートである。ステップＳ８１〜Ｓ８３までの処理は図１９と同様である。次に、サブキャリア信号のうち、受信強度が閾値未満のサブキャリア信号を除き、残りのサブキャリア信号の中で、受信強度が最小のサブキャリア信号を選択する（ステップＳ８４）。その後、ステップＳ８５〜Ｓ８７までは、図１９のステップＳ７５〜Ｓ７７と同様の処理を行う。
【０１３３】
次に、アンテナ選択部４０は、記憶部４５に記憶されている、ステップＳ７４で選択されたサブキャリア信号の中で、信号強度が最大のアンテナ部を選択する（ステップＳ８８）。
【０１３４】
このように、第１９の実施形態では、予め閾値を設けて、サブキャリア信号の絞り込みを行うため、不要なサブキャリア信号を事前に除去でき、キャリア選択部３１における処理を高速化できる。
【０１３５】
（第２０の実施形態）
第２０の実施形態は、第１９の実施形態の変形例であり、閾値を超えたサブキャリア信号の本数により、アンテナ部を選択するか否かを決定するものである。
【０１３６】
図２６は第２０の実施形態の処理手順の一例を示すフローチャートである。ステップＳ９１〜Ｓ９７は図２５のステップＳ８１〜Ｓ８７と同様の処理を行う。次に、アンテナ選択部４０は、キャリア選択部３１により選択されたサブキャリア信号の本数を比較し、閾値を超えたサブキャリア信号の数が最も多いアンテナ部を選択する（ステップＳ９８）。
【０１３７】
ステップＳ９８の処理において、候補のアンテナ部が複数存在する場合には、これら候補の中で、信号強度が最小のサブキャリア信号の信号強度を互いに比較し、その中で信号強度が最大のアンテナ部を選択する。
【０１３８】
このステップＳ９８では、キャリア選択部３１で選択されたサブキャリア信号の平均信号強度が最大のアンテナ部を選択してもよい。
【０１３９】
このように、第２０の実施形態は、パイロットキャリア信号の受信強度が所定の閾値より小さくて信頼性の低いパイロットキャリア信号は周波数補正および位相補正に用いないというアルゴリズムを採用していた場合に、より多くのパイロットキャリア信号を周波数補正および位相補正に用いることができる。また、選択されたサブキャリア信号の本数が最大のアンテナ部が複数存在する場合には、これらのアンテナ部から、キャリア選択部３１で選択されたサブキャリア信号の信号強度に基づいて、より信頼性の高いアンテナ部を選択することができる。これにより、通信品質を向上できる。
【０１４０】
（第２１の実施形態）
第２１の実施形態は、マルチキャリア信号に含まれるサブキャリア信号を、パイロットキャリア信号の周波数との周波数差に応じて重み付けするものである。
【０１４１】
図２７は本発明の第２１の実施形態による無線受信装置の処理手順を示すフローチャートである。ステップＳ１０１〜Ｓ１０３までの処理は図１９と同様である。次に、各サブキャリア信号について、パイロットキャリア信号との周波数に応じて重み係数を設定する（ステップＳ１０４）。周波数と重み係数との関係を示すテーブルを予め用意しておいてもよい。重み係数は、パイロットキャリア信号との周波数差が小さいほど、大きい値が設定される。
【０１４２】
次に、サブキャリア信号の受信強度に、設定した重み係数を乗じて、重み付けされた受信強度を演算する（ステップＳ１０５）。次に、ステップＳ１０６〜Ｓ１０８までは、図１９のステップＳ７５〜Ｓ７７と同様の処理を行う。
【０１４３】
次に、アンテナ選択部４０は、記憶部４５に記憶されている、ステップＳ１０５で演算した受信強度に基づいて、最大の受信強度をもつサブキャリア信号をもつアンテナ部を選択する（ステップＳ１０９）。
【０１４４】
このように、第２１の実施形態では、サブキャリア信号を、パイロットキャリア信号の周波数との周波数差に応じて重み付けするため、パイロットキャリア信号の周波数に近いサブキャリア信号を優先的に選択できる。
【０１４５】
（第２２の実施形態）
第２２の実施形態は、複数のサブキャリア信号を一つのグループ（群）にまとめて、群ごとに処理を行うものである。
【０１４６】
図２８は本発明の第２２の実施形態の概要を説明する図である。本実施形態では、全サブキャリア信号を、パイロットキャリア信号の周波数に近い第１サブキャリア群５５と、パイロットキャリア信号の周波数から遠い第２サブキャリア群５６とに分類する。
【０１４７】
キャリア選択部３１のそれぞれは、第１サブキャリア群５５から少なくとも一つのサブキャリア信号を選択するとともに、第２サブキャリア群５６から少なくとも一つのサブキャリア信号を選択する。アンテナ選択部４０は、両群から選択されたサブキャリア信号の受信強度に基づいてアンテナ部を選択する。
【０１４８】
例えば、キャリア選択部３１は、第１および第２サブキャリア群５６のそれぞれから、受信強度が最小のサブキャリアを選択する。そして、選択された２つのサブキャリア信号に対して、それぞれ異なる重み付けを行い、重み付けされた受信強度を求める。
【０１４９】
アンテナ選択部４０は、重み付けされた受信強度が最大のサブキャリア信号に対応するアンテナ部を選択する。
【０１５０】
あるいは、キャリア選択部３１は、第１サブキャリア群５５から受信強度が最小のサブキャリア信号を選択し、第２サブキャリア群５６に属するすべてのサブキャリア信号を選択し、第１サブキャリア群５５から選択されたサブキャリア信号の受信強度と、第２サブキャリア群５６に属するすべてのサブキャリア信号の平均受信強度とに対して、それぞれ異なる重み付けを行って合成してもよい。この場合、アンテナ選択部４０は、キャリア選択部３１で演算された受信強度が最大のサブキャリア信号をもつアンテナ部を選択する。
【０１５１】
このように、第２２の実施形態では、サブキャリア信号を複数のサブキャリア群に分類して、各群ごとに重み付けを行って受信強度を補正するため、各サブキャリア信号ごとに重み付けを行うよりも短時間でアンテナ部の選択を行える。
【図面の簡単な説明】
【０１５２】
【図１】本発明に係る第１の実施形態に従った受信装置のブロック図。
【図２】本実施形態におけるキャリア選択部およびアンテナ選択部の動作を具体的に示した概略図。
【図３】通信装置１００の動作を示すフロー図。
【図４】図４は、本発明に係る第３の実施形態に従った通信装置のキャリア選択部を示す概略図。
【図５】本発明に係る第４の実施形態に従った通信装置のキャリア選択部を示す概略図。
【図６】本発明に係る第５の実施形態に従った通信装置のキャリア選択部を示す概略図。
【図７】本発明に係る第６の実施形態に従った通信装置のキャリア選択部を示す概略図。
【図８】本発明に係る第７の実施形態に従った通信装置のキャリア選択部を示す概略図。
【図９】本発明に係る第８の実施形態に従った通信装置のキャリア選択部を示す概略図。
【図１０】本発明に係る第９の実施形態に従った通信装置のキャリア選択部を示す概略図。
【図１１】本発明に係る第１０の実施形態に従った通信装置を示すブロック図。
【図１２】本発明に係る第１１の実施形態に従った通信装置の復調部を示すブロック図。
【図１３】本発明に係る第１２および第１３の実施形態に従った通信装置の復調部を示すブロック図。
【図１４】本発明に係る通信装置を示すブロック図。
【図１５】本発明の第１４の実施形態による無線受信装置の概略構成を示すブロック図。
【図１６】図１５の無線受信装置の処理動作の一例を示すフローチャート。
【図１７】本発明の第１５の実施形態による無線受信装置の内部構成を示すブロック図。
【図１８】本発明の第１６の実施形態による無線受信装置の内部構成を示すブロック図。
【図１９】図１８の無線受信装置の処理動作の一例を示すフローチャート。
【図２０】パケットのデータ構成を示す図。
【図２１】本発明の第１７の実施形態に係る無線受信装置の概略構成を示すブロック図。
【図２２】IEEE802.11aに準拠したパケットのデータ部１６の周波数特性を示す図。
【図２３】IEEE802.11aに準拠したパケットのプリアンブル部１５の一部であるショートプリアンブルの周波数特性を示す図。
【図２４】本発明の第１８の実施形態による無線受信装置の概略構成を示すブロック図。
【図２５】第１７の実施形態の処理手順の一例を示すフローチャート。
【図２６】第２０の実施形態の処理手順の一例を示すフローチャート。
【図２７】本発明の第２１の実施形態による無線受信装置の処理手順を示すフローチャート。
【図２８】本発明の第２２の実施形態の概要を説明する図。
【符号の説明】
【０１５３】
１００  受信装置
１１〜１３  アンテナ部
２１〜２３  信号変換部
３１〜３３  キャリア選択部
３４  閾値決定部
４０  アンテナ選択部
４２  演算部
４４  信号強度比較部
５０  復調部
５１  強度測定部
５２  閾値判定部
５３  歪量算出部
５４  演算部
５５  歪補正部
６１〜６３  受信強度測定部
【図１】
2005065254.tif 000003
【図２】
2005065254.tif 000004
【図３】
2005065254.tif 000005
【図４】
2005065254.tif 000006
【図５】
2005065254.tif 000007
【図６】
2005065254.tif 000008
【図７】
2005065254.tif 000009
【図８】
2005065254.tif 000010
【図９】
2005065254.tif 000011
【図１０】
2005065254.tif 000012
【図１１】
2005065254.tif 000013
【図１２】
2005065254.tif 000014
【図１３】
2005065254.tif 000015
【図１４】
2005065254.tif 000016
【図１５】
2005065254.tif 000017
【図１６】
2005065254.tif 000018
【図１７】
2005065254.tif 000019
【図１８】
2005065254.tif 000020
【図１９】
2005065254.tif 000021
【図２０】
2005065254.tif 000022
【図２１】
2005065254.tif 000023
【図２２】
2005065254.tif 000024
【図２３】
2005065254.tif 000025
【図２４】
2005065254.tif 000026
【図２５】
2005065254.tif 000027
【図２６】
2005065254.tif 000028
【図２７】
2005065254.tif 000029
【図２８】
2005065254.tif 000030